(57)【要約】【課題】熱源機と熱源機を遠隔操作するための複数のリモコンとを備えた熱源システムにおいて、消費電力を低減させる。【解決手段】コントローラ１０は、ＳＴＥＰ３で全てのリモコン６０〜６２に給電した状態で、ＳＴＥＰ４〜５のループによりいずれかのリモコンが操作されるのを待ち、いずれかのリモコンが操作されたときはＳＴＥＰ３０に分岐して、操作されたリモコン以外のリモコンへの電力供給を遮断する。また、ＳＴＥＰ５でタイマがタイムアップしたときには、ＳＴＥＰ６で「リモコン給電切替処理」を実行しつつ、ＳＴＥＰ７でいずれかのリモコンが操作されるのを待ち、いずれかのリモコンが操作されたときにはＳＴＥＰ８に進んで、操作されたリモコンに対してのみ電力供給を継続する。【選択図】  図２
2016151390.tif 000002
【特許請求の範囲】
【請求項１】
熱源機と、該熱源機から供給される電力により作動して該熱源機を遠隔操作する複数のリモコンとを備えた熱源システムであって、
前記複数のリモコンのうちの１台に対してのみ前記熱源機から電力を供給し、他のリモコンに対する前記熱源機からの電力供給を遮断したリモコン給電制限状態とする給電制御部を備えたことを特徴とする熱源システム。
【請求項２】
請求項１に記載の熱源システムにおいて、
前記熱源機は、商用電源又はバッテリから供給される電力によって作動し、
前記給電制御部は、前記熱源機が前記バッテリから供給される電力によって作動しているときに、前記リモコン給電制限状態とすることを特徴とする熱源システム。
【請求項３】
請求項１又は請求項２に記載の熱源システムにおいて、
前記給電制御部は、前記複数のリモコンの中から１台のリモコンを順次選択して、選択しているリモコンに対してのみ前記熱源機から電力を供給し、選択していないリモコンに対しては前記熱源機からの電力供給を遮断するリモコン給電切替処理を実行しながら、いずれかのリモコンが操作されるのを待ち、いずれかのリモコンが操作され、該操作されたリモコンに電力が供給されていたときには、前記リモコン給電切替処理を終了して、該操作されたリモコンに対してのみ前記熱源機から電力を供給し、他のリモコンに対しては前記熱源機からの電力供給を遮断することによって、前記リモコン給電制限状態とすることを特徴とする熱源システム。
【請求項４】
請求項１又は請求項２に記載の熱源システムにおいて、
前記給電制御部は、前記複数の全てのリモコンに対して前記熱源機から電力を供給して、いずれかのリモコンが操作されるのを待ち、いずれかのリモコンが操作されたときには、該操作されたリモコンに対する前記熱源機からの電力供給を継続すると共に、他のリモコンに対しては前記熱源機からの電力供給を遮断することによって、前記リモコン給電制限状態とすることを特徴とする熱源システム。
【請求項５】
請求項１又は請求項２に記載の熱源システムにおいて、
前記給電制御部は、前記複数のリモコンの中から１台のリモコンを順次選択して、選択しているリモコンに対してのみ前記熱源機から電力を供給し、選択していないリモコンに対しては前記熱源機からの電力供給を遮断するリモコン給電切替処理を継続することによって、前記リモコン給電制限状態とし、該リモコン給電制限状態でいずれかのリモコンが操作され、該操作されたリモコンに電力が供給されていたときには、該操作が終了するまで該操作されたリモコンに対する前記熱源機からの電力供給を継続することを特徴とする熱源システム。
【発明の詳細な説明】
【技術分野】
【０００１】
本発明は、省電力のための処理を行う熱源システムに関する。
【背景技術】
【０００２】
従来、熱源機（給湯器等）と熱源機を遠隔操作するための複数のリモコンとを備え、熱源機から供給される電力によって各リモコンを作動させるようにした熱源システムが知られている（例えば、特許文献１参照）。
【０００３】
特許文献１に記載された熱源システムは、平常時は商用電源から供給される電力によって作動し、商用電源の停電中はバッテリから供給される電力によって作動するように構成されている。
【０００４】
そして、バッテリから供給される電力によって作動しているときには、各リモコンのうち、優先設定がされていないリモコンの表示量を、優先設定がされているリモコンよりも減らすことで、バッテリから供給される電力によって作動するときの消費電力の低減を図っている。
【先行技術文献】
【特許文献】
【０００５】
【特許文献１】特開２０１３−３６６５３号公報
【発明の概要】
【発明が解決しようとする課題】
【０００６】
特許文献１に記載された熱源システムによれば、複数のリモコン間での優先設定が可能な場合に消費電力の低減が可能であるが、さらなる消費電力の低減が望まれている。
【０００７】
本発明は上記背景に鑑みてなされたものであり、熱源機と熱源機を遠隔操作するための複数のリモコンとを備えた熱源システムにおいて、消費電力を低減させることを目的とする。
【課題を解決するための手段】
【０００８】
上記目的を達成するため、本発明の熱源システムは、
熱源機と、該熱源機から供給される電力により作動して該熱源機を遠隔操作する複数のリモコンとを備えた熱源システムであって、
前記複数のリモコンのうちの１台に対してのみ前記熱源機から電力を供給し、他のリモコンに対する前記熱源機からの電力供給を遮断したリモコン給電制限状態とする給電制御部を備えたことを特徴とする。
【０００９】
かかる本発明によれば、前記給電制御部により前記給電制限状態として、前記熱源機から電力を供給するリモコンを１台のみに制限することにより、前記複数のリモコンによる消費電力を低減することができる。
【００１０】
また、前記熱源機は、商用電源又はバッテリから供給される電力によって作動し、
前記給電制御部は、前記熱源機が前記バッテリから供給される電力によって作動しているときに、前記リモコン給電制限状態とすることを特徴とする。
【００１１】
この構成によれば、商用電源の停電等により、前記熱源機がバッテリから供給される電力によって作動しているときに、前記給電制御部は、前記リモコン給電制限状態として、前記熱源機から１台のリモコンに対してのみ電力が供給される状態とする。そして、これにより、バッテリから供給される電力によって前記熱源機が作動しているときの前記複数のリモコンの消費電力を低減させて、前記バッテリからの供給電力により前記熱源機が作動可能な時間を延ばすことができる。
【００１２】
また、前記給電制御部は、前記複数のリモコンの中から１台のリモコンを順次選択して、選択しているリモコンに対してのみ前記熱源機から電力を供給し、選択していないリモコンに対しては前記熱源機からの電力供給を遮断するリモコン給電切替処理を実行しながら、いずれかのリモコンが操作されるのを待ち、いずれかのリモコンが操作され、該操作されたリモコンに電力が供給されていたときには、前記リモコン給電切替処理を終了して、該操作されたリモコンに対してのみ前記熱源機から電力を供給し、他のリモコンに対しては前記熱源機からの電力供給を遮断することによって、前記リモコン給電制限状態とすることを特徴とする。
【００１３】
この構成によれば、前記リモコン給電切替処理によって、前記複数のリモコンに対する前記熱源機からの電力供給が順次切り替えられているときに、使用者がいずれかのリモコンを操作すると、使用者が操作したリモコンに対してのみ前記熱源機から電力が供給される前記リモコン給電制限状態となる。そのため、使用者は、前記リモコン給電制限状態において、前記熱源機から電力を供給して操作可能にする１台のリモコンを、前記複数のリモコンの中から任意に選択することができる。
【００１４】
また、前記給電制御部は、前記複数の全てのリモコンに対して前記熱源機から電力を供給して、いずれかのリモコンが操作されるのを待ち、いずれかのリモコンが操作されたときには、該操作されたリモコンに対する前記熱源機からの電力供給を継続すると共に、他のリモコンに対しては前記熱源機からの電力供給を遮断することによって、前記リモコン給電制限状態とすることを特徴とする。
【００１５】
この構成によれば、前記給電制御部により、前記複数の全てのリモコンに対して前記熱源機から電力が供給されているときに、使用者がいずれかのリモコンを操作すると、使用者が操作したリモコンに対してのみ前記熱源機から電力が供給される前記リモコン給電制限状態となる。そのため、使用者は、前記リモコン制限状態において、前記熱源機から電力を供給して操作可能にする１台のリモコンを、前記複数のリモコンの中から任意に選択することができる。
【００１６】
また、前記給電制御部は、前記複数のリモコンの中から１台のリモコンを順次選択して、選択しているリモコンに対してのみ前記熱源機から電力を供給し、選択していないリモコンに対しては前記熱源機からの電力供給を遮断するリモコン給電切替処理を継続することによって、前記リモコン給電制限状態とし、該リモコン給電制限状態でいずれかのリモコンが操作され、該操作されたリモコンに電力が供給されていたときには、該操作が終了するまで該操作されたリモコンに対する前記熱源機からの電力供給を継続することを特徴とする。
【００１７】
この構成によれば、前記給電制御部により、前記リモコン給電切替処理が実行されている間、使用者は前記複数のリモコンの全てを操作することができる。そして、前記複数のリモコンのうちのいずれかが操作されたときに、前記給電制御部は、操作が終了するまで、操作されたリモコンに対する前記熱源機からの電力供給を継続する。そのため、操作の途中でリモコンに対する電力供給が遮断されることがない。
【図面の簡単な説明】
【００１８】
【図１】熱源システムの構成図。
【図２】第１実施形態におけるリモコン給電制限状態とする処理のフローチャート。
【図３】リモコン給電切替処理における各リモコンの給電状態の変化を示したタイミングチャート。
【図４】第２実施形態におけるリモコン給電制限状態とする処理のフローチャート。
【発明を実施するための形態】
【００１９】
本発明の実施形態について、図１〜図４を参照して説明する。
【００２０】
図１を参照して、本実施形態の熱源システムは、熱源機１と、熱源機１を遠隔操作するための台所リモコン６０、浴室リモコン６１、及びサブリモコン６２とを備えて構成されている。
【００２１】
熱源機１としては、上水道から供給される水を加熱して出湯する給湯器や、温水循環回路内の水を加熱して温水暖房端末（床暖房機、温風暖房機等）に循環供給する暖房熱源機等が対象となる。また、サブリモコン６２は洗面所等に配置される。
【００２２】
熱源機１は、商用電源２の停電が生じていない平常時には、電源端子５ａ，５ｂに接続された商用電源２から供給される交流電力（商用電力）によって作動する。また、商用電源２が停電しているときには、使用者は、商用電源２を電源端子５ａ，５ｂから取り外して、バッテリ３をインバータ４を介して電源端子５ａ，５ｂに接続することで、熱源機１を作動させることができる。この場合には、バッテリ３から出力される直流電力が商用電力相当の交流電力に変換されて、熱源機１に供給される。
【００２３】
なお、バッテリ３をインバータ４を介して予め電源端子５ａ，５ｂに接続しておき、商用電源２の停電が生じたときに、インバータ４を作動させてバッテリ３からの供給電力によって、熱源機１を作動させる状態に自動的に切り替える構成としてもよい。
【００２４】
台所リモコン６０は、リモコン端子５０ａ，５０ｂに接続されて、熱源機１から供給される電力によって作動する。同様に、浴室リモコン６１は、リモコン端子５１ａ，５１ｂに接続されて、熱源機１から供給される電力によって作動する。また、サブリモコン６２は、リモコン端子５２ａ，５２ｂに接続されて、熱源機１から供給される電力によって作動する。
【００２５】
コントローラ１０は、電源端子５ａ，５ｂから供給される電力（商用電源２から供給される交流電力、又はバッテリ３からインバータを介して供給される交流電力）を整流する全波整流回路２０、全波整流回路２０の出力電圧を平滑化するコンデンサ２２、全波整流回路２０の出力電圧（ＤＣ１４１Ｖ）を降圧してＤＣ１２Ｖの電圧を出力するスイッチング電源２１、電源端子５ａ，５ｂから供給される交流電力の周波数を検知する電源周波数検知回路２５、スイッチング電源２１の出力電圧を平滑化するコンデンサ３４、スイッチング電源２１の出力電力からＤＣ５Ｖの直流電圧を生成するレギュレータ３１、レギュレータ３１の出力電圧を平滑化するコンデンサ３３、ＣＰＵ３０、台所リモコン６０に対する電力の供給と遮断を切り替えるスイッチング回路４０、浴室リモコン６１に対する電力の供給と遮断を切り替えるスイッチング回路４１、及びサブリモコン６２に対する電力の供給と遮断を切り替えるスイッチング回路４２を備えている。
【００２６】
なお、スイッチング回路４０〜４２は、リモコン６０〜６２の故障時にリモコン６０〜６２に対する電力供給を強制的に遮断するために備えられた遮断回路を転用したものであってもよい。
【００２７】
ＣＰＵ３０は、図示しないメモリに保持された熱源機１の制御用プログラムを実行することによって、熱源機１の作動を制御する機能を果たす。ＣＰＵ３０には、電源周波数検知回路２５による電源周波数の検知信号が入力され、ＣＰＵ３０から出力される制御信号によって、スイッチング回路４０〜４２のＯＮ（導通）状態とＯＦＦ（遮断）状態が切り替わる。
【００２８】
次に、コントローラ１０は、台所リモコン６０、浴室リモコン６１、及びサブリモコン６２のうち、１台のリモコンに対してのみ熱源機１から電力を供給し、他のリモコンに対しては熱源機１からの電力の供給を遮断した「リモコン給電制限状態」とする処理を実行する。以下、図２〜図４を参照して、「リモコン給電制限状態」とする処理について説明する。
【００２９】
なお、コントローラ１０が「リモコン給電制限状態」にする処理を実行する構成は、本発明の給電制御部に相当する。
【００３０】
［第１実施形態］
先ず、図２に示したフローチャートに従って、「リモコン給電制限状態」とする処理の第１実施形態について説明する。
【００３１】
コントローラ１０は、電源端子５ａ，５ｂへの電力供給が開始された時に起動して、図２に示したフローチャートを実行する。コントローラ１０は、図２のＳＴＥＰ１で、電源周波数検知回路２５により検知された電源周波数から、商用電源２の停電が生じているか否かを判断する。
【００３２】
コントローラ１０は、電源周波数検知回路２５により検知された電源周波数が、規定周波数（例えば５０Ｈｚ）から所定％以上乖離しているときに、停電中である（バッテリ３からインバータ４を介して、電源端子５ａ，５ｂに電力が供給されている）と判断してＳＴＥＰ２に進み、停電中でないときにはＳＴＥＰ２０に分岐する。
【００３３】
停電中でないときは、コントローラ１０は、ＳＴＥＰ２０で、全てのスイッチング回路４０〜４２をＯＮ状態にして、全てのリモコン６０〜６２に電力を供給する。そして、これにより、全てのリモコン６０〜６２による熱源機１の遠隔操作を可能とし、続くＳＴＥＰ２１で通常モード（「リモコン給電制限状態」としないモード）による熱源機１の運転を開始する。
【００３４】
それに対して、停電中であるときには、コントローラ１０は、ＳＴＥＰ２でタイマをスタートさせて、続くＳＴＥＰ３で、全てのスイッチング回路４０〜４２をＯＮ状態にして、全てのリモコン６０〜６２に電力を供給する。
【００３５】
そして、次のＳＴＥＰ４〜ＳＴＥＰ５のループにより、コントローラ１０は、ＳＴＥＰ５でタイマがタイムアップする前に、ＳＴＥＰ４でリモコン６０〜６２のうちのいずれかが操作されたか否かを判断する。
【００３６】
ＳＴＥＰ４でリモコン６０〜６２のうちのいずれかが操作されたときはＳＴＥＰ３０に分岐し、コントローラ１０は、操作されたリモコン以外のリモコンに対する電力供給を遮断することで「リモコン給電制限状態」としてＳＴＥＰ９に進み、省エネモード（「リモコン給電制御状態」とするモード）による熱源機１の運転を開始する。
【００３７】
例えば、ＳＴＥＰ４で、浴室リモコン６１が操作されたことを検知したときには、コントローラ１０は、スイッチング回路４１をＯＮ状態に維持すると共に、スイッチング回路４０とスイッチング回路４２をＯＦＦ状態とする。これにより、浴室リモコン６１に対してのみ熱源機１から電力が供給され、台所リモコン６０とサブリモコン６２に対しては熱源機１からの電力供給が遮断された「リモコン給電制限状態」となって、リモコン６０〜６２による消費電力が低減される。
【００３８】
また、ＳＴＥＰ５でタイマがタイムアップしたときはＳＴＥＰ６に進み、コントローラ１０は、ＳＴＥＰ６〜ＳＴＥＰ７のループにより、ＳＴＥＰ６で、リモコン６０〜６２の中から１台ずつ所定時間（例えば１０秒）間隔で順次選択して、選択したリモコンに対してのみ熱源機１から電力を供給する「リモコン給電切替処理」を実行しつつ、ＳＴＥＰ７で、リモコン６０〜６２のうちのいずれかのリモコンが操作されるのを待つ。
【００３９】
ここで、図３は、台所リモコン６０→浴室リモコン６１→サブリモコン６２→台所リモコン６０→浴室リモコン６１→… の順で１台ずつリモコンを選択して「リモコン給電切替処理」を行った場合の各リモコン６０〜６２への電力の供給（給電ＯＮ）と遮断（給電ＯＦＦ）の状態を示したタイミングチャートである。
【００４０】
図３のタイミングチャートでは、ｔ１〜ｔ２，ｔ４〜ｔ５，及びｔ７〜ｔ８で、台所リモコン６０に対してのみ電力が供給され（給電ＯＮ）、浴室リモコン６１とサブリモコン６２に対する電力供給が遮断されている（給電ＯＦＦ）。また、ｔ２〜ｔ３，ｔ５〜ｔ６，ｔ８〜ｔ９で、浴室リモコン６１に対してのみ電力が供給され（給電ＯＮ）、台所リモコン６０とサブリモコン６２に対する電力供給が遮断されている（給電ＯＦＦ）。また、ｔ３〜ｔ４，ｔ６〜ｔ７で、サブリモコン６２に対してのみ電力が供給され（給電ＯＮ）、台所リモコン６０と浴室リモコン６１に対する電力供給が遮断されている。
【００４１】
「リモコン給電切替処理」を行うことにより、リモコン６０〜６２のうちの１台のリモコンに対してのみ電力を供給した「リモコン給電制限状態」としてリモコン６０〜６２の消費電力を低減しつつ、ＳＴＥＰ７でいずれかのリモコンが操作されるのを持つことができる。
【００４２】
ＳＴＥＰ７で、いずれかのリモコンが操作されたときにＳＴＥＰ８に進み、コントローラ１０は、操作されたリモコンに対してのみ電力供給を継続し、他のリモコンに対する電力を遮断して「リモコン給電制限状態」とする。そして、ＳＴＥＰ９に進み、コントローラ１０は、省エネモードによる熱源機１の運転を開始する。
【００４３】
［第２実施形態］
次に、図４に示したフローチャートに従って、「リモコン給電制限状態」とする処理の第２実施形態について説明する。
【００４４】
上述した第１実施形態と同様に、コントローラ１０は、電源端子５ａ，５ｂへの電力供給が開始された時に起動して、図４に示したフローチャートを実行する。コントローラ１０は、図４のＳＴＥＰ５０で、電源周波数検知回路２５により検知される電源周波数から、商用電源２が停電中であるか否かを判断する。そして、停電中であるときはＳＴＥＰ５１に進み、停電中でないときにはＳＴＥＰ６０に分岐する。
【００４５】
停電中でないときは、コントローラ１０は、ＳＴＥＰ６０で、全てのスイッチング回路４０〜４２をＯＮ状態にして、全てのリモコン６０〜６２に電力を供給する。そして、これにより、全てのリモコン６０〜６２による熱源機１の遠隔操作を可能とし、続くＳＴＥＰ６１で通常モードによる熱源機１の運転を開始する。
【００４６】
それに対して、停電中であるときには、コントローラ１０は、ＳＴＥＰ５１で、上述した図３のＳＴＥＰ６〜ＳＴＥＰ７の処理と同様に、ＳＴＥＰ５１で、リモコン６０〜６２の中から１台ずつ順次選択して、選択したリモコンに対してのみ熱源機１から電力を供給する「リモコン給電切替処理」を実行しつつ、ＳＴＥＰ５２で、リモコン６０〜６２のうちのいずれかのリモコンが操作されるのを待つ。
【００４７】
そして、ＳＴＥＰ５２で、リモコン６０〜６２のうちのいずれかのリモコンが操作されたときはＳＴＥＰ７０に分岐し、コントローラ１０は、操作されたリモコンに対してのみ、操作が終了するまで電力供給を継続し、他のリモコンに対する電力供給を遮断して「リモコン給電制限状態」としてＳＴＥＰ５３に進む。
【００４８】
また、ＳＴＥＰ５２でいずれのリモコンも操作されなかったときにはＳＴＥＰ５３に進み、コントローラ１０は、省エネモードによる熱源機１の運転を実行してＳＴＥＰ５１に戻る。この場合は、「リモコン給電切替処理」によって「リモコン給電制限状態」が維持されて、リモコン６０〜６２の消費電力が低減される。
【００４９】
なお、上記第１実施形態では、図２のＳＴＥＰ２〜ＳＴＥＰ５及びＳＴＥＰ３０により、全てのリモコン６０〜６２に対して電力を供給した状態として、いずれかのリモコンの操作を待つ処理と、ＳＴＥＰ６〜ＳＴＥＰ８で、「リモコン給電切替処理」を行いつつ、いずれかのリモコンの操作を待つ処理とを行ったが、いずれか一方の処理のみを行うようにしてもよい。
【００５０】
また、本実施形態では、本発明の複数のリモコンとして、台所リモコン６０、浴室リモコン６１、及びサブリモコン６２という３台のリモコンを備えた例を示したが、２台あるいは４台以上のリモコンを備えた熱源システムに対しても、本発明の適用が可能である。
【符号の説明】
【００５１】
１…熱源機、２…商用電源、３…バッテリ、４…インバータ、１０…コントローラ（給電制御部）、２５…電源周波数検知回路、４０〜４２…スイッチング回路、６０…台所リモコン、６１…浴室リモコン、６２…サブリモコン。
【図１】
2016151390.tif 000003
【図２】
2016151390.tif 000004
【図３】
2016151390.tif 000005
【図４】
2016151390.tif 000006